(57)【要約】【課題】自動釣銭機の貨幣収納部にオーバーフローを生じさせず、顧客の精算処理をスムーズに行う。【解決手段】貨幣収納部の最大収納量より少ない上限量と、貨幣収納部から出金する貨幣の払出量と、を記憶する記憶手段と、貨幣収納部の収納量が上限量を超えたか否かを判断する判断手段と、判断手段により貨幣収納部の収納量が上限量を超えたと判断された場合に貨幣収納部の貨幣を上記払出量だけ出金させる制御を行う制御手段と、を備える。【選択図】図６
2008293250.tif 000002
【特許請求の範囲】
【請求項１】
ＰＯＳ端末機と、
貨幣を投入する貨幣投入口と、貨幣を一定量収納する貨幣収納部と、前記貨幣収納部から貨幣を出金する貨幣払出口と、を有し、お客の買上商品に関する代金を前記貨幣投入口から収集するとともに前記ＰＯＳ端末機の指示により前記貨幣払出口から釣銭を出金する自動釣銭機と、
からなる商品販売データ処理システムにおいて、
前記貨幣収納部の最大収納量より少ない上限量を記憶する記憶手段と、
前記貨幣収納部の収納量が前記上限量を超えたか否かを判断する判断手段と、
前記判断手段により前記貨幣収納部の収納量が前記上限量を超えたと判断された場合に前記貨幣収納部の一部の貨幣を出金させる制御を行う制御手段と、
を備えたことを特徴とする商品販売データ処理システム。
【請求項２】
前記制御手段は、お客から収集した代金に対して釣銭を出金した後に、前記一部の貨幣を出金させることを特徴とする請求項１に記載の商品販売データ処理システム。
【請求項３】
前記ＰＯＳ端末機は、貨幣を収納し開閉制御可能なドロアーを有し、前記制御手段により前記一部の貨幣が出金された際に前記ドロアーを開放させることを特徴とする請求項１または請求項２に記載の商品販売データ処理システム。
【請求項４】
前記ＰＯＳ端末機は、前記判断手段により前記貨幣収納部の収納量が前記上限量を超えたと判断された場合にその旨を報知する報知手段を有し、前記報知手段による報知を受けた操作者からの入力操作によって前記制御手段が動作することを特徴とする請求項１から請求項３のいずれか１の項に記載の商品販売データ処理システム。
【請求項５】
前記記憶手段は、前記貨幣収納部に収納する貨幣の下限量を記憶し、
前記制御手段は、前記下限量を超えた貨幣を出金させる
ことを特徴とする請求項１から請求項４のいずれか１の項に記載の商品販売データ処理システム。
【発明の詳細な説明】
【技術分野】
【０００１】
本発明は、自動釣銭払出機能を有する商品販売データ処理システムに関する。
【背景技術】
【０００２】
従来、スーパーマーケットなどでの買上商品の精算処理において、入出金作業の確実性を高めるなどの目的のため、ＰＯＳ端末機と自動釣銭機とを接続して用いる商品販売データ処理システムが利用されている。
【０００３】
自動釣銭機は、顧客が代金を投入する貨幣投入口と、顧客からの預かり金を収納する貨幣収納部と、ＰＯＳ端末機の精算結果に基づいて顧客へ渡す釣銭を払い出す貨幣払出口とを備えており、さらに、貨幣収納部が一杯になった場合に貨幣を回収する金庫としての貨幣回収部を備えていることが多い（例えば、特許文献１，２参照）。
【特許文献１】特開２００５−４３４７号公報
【特許文献２】特開２００５−７０８９９号公報
【発明の開示】
【発明が解決しようとする課題】
【０００４】
従来の商品販売処理システムあるいは自動釣銭機では、上記貨幣収納部や貨幣回収部が一杯（オーバーフロー）になった場合、貨幣回収部に入っている貨幣を取り出して事務所（出納室）に預け、貨幣回収部を空の状態にしてから再度セットし直さないとＰＯＳ端末機および自動釣銭機のエラーを解除することができないという問題があり、この場合、顧客の精算処理を一時中止しなければならない状態が発生してしまう。
また、貨幣収納部や貨幣回収部がオーバーフローになった場合に、貨幣収納部に収納されている貨幣を貨幣払出口へ放出するようにした自動釣銭機も存在するが、オーバーフローが発生してから対処するというものであるため、一時的にエラーが発生し精算処理が中止させられてしまう点は同じであり、上記の問題は残存している。
【０００５】
本発明は上記の点に鑑みてなされたものであり、その目的は、自動釣銭機の貨幣収納部にオーバーフローを生じさせず、顧客の精算処理をスムーズに行うことが可能な商品販売データ処理システムを提供することにある。
【課題を解決するための手段】
【０００６】
本発明は上記の課題を解決するためになされたものであり、ＰＯＳ端末機と、貨幣を投入する貨幣投入口と、貨幣を一定量収納する貨幣収納部と、前記貨幣収納部から貨幣を出金する貨幣払出口と、を有し、お客の買上商品に関する代金を前記貨幣投入口から収集するとともに前記ＰＯＳ端末機の指示により前記貨幣払出口から釣銭を出金する自動釣銭機と、からなる商品販売データ処理システムにおいて、前記貨幣収納部の最大収納量より少ない上限量を記憶する記憶手段と、前記貨幣収納部の収納量が前記上限量を超えたか否かを判断する判断手段と、前記判断手段により前記貨幣収納部の収納量が前記上限量を超えたと判断された場合に前記貨幣収納部の一部の貨幣を出金させる制御を行う制御手段と、を備えたことを特徴とする。
【０００７】
この発明によれば、貨幣収納部の収納量が上限量を超えると貨幣が所定量だけ出金されるので、貨幣収納部の収納量が減り、オーバーフローが起きにくくなる。これにより、顧客の精算処理をスムーズに行うことが可能となる。
【０００８】
また、本発明は、上記の商品販売データ処理システムにおいて、前記制御手段は、お客から収集した代金に対して釣銭を出金した後に、前記一部の貨幣を出金させることを特徴とする。
【０００９】
この発明によれば、顧客に対する釣銭の払い出しを優先することができ、顧客の精算処理をさらにスムーズに行うことができる。
【００１０】
また、本発明は、上記の商品販売データ処理システムにおいて、前記ＰＯＳ端末機は、貨幣を収納し開閉制御可能なドロアーを有し、前記制御手段により前記一部の貨幣が出金された際に前記ドロアーを開放させることを特徴とする。
【００１１】
この発明によれば、上記一部の貨幣が出金されたのと連動してドロアーが開放されるので、オペレータは貨幣払出口に出金された貨幣を直ちにドロアー移し替えることができ、作業を迅速に行うことが可能となる。
【００１２】
また、本発明は、上記の商品販売データ処理システムにおいて、前記ＰＯＳ端末機は、前記判断手段により前記貨幣収納部の収納量が前記上限量を超えたと判断された場合にその旨を報知する報知手段を有し、前記報知手段による報知を受けた操作者からの入力操作によって前記制御手段が動作することを特徴とする。
【００１３】
この発明によれば、オペレータに貨幣収納部の収納量が上限量を超えたことを報知し、報知を受けたオペレータからの入力操作を待って、上記の払出量分の貨幣が出金されるので、この出金された貨幣と顧客に渡す釣銭とが混ざってしまうミスを効果的に防止することができる。
【００１４】
また、本発明は、上記の商品販売データ処理システムにおいて、前記記憶手段は、前記貨幣収納部に収納する貨幣の下限量を記憶し、前記制御手段は、前記下限量を超えた貨幣を出金させることを特徴とする。
【００１５】
この発明によれば、自動釣銭機に保持される貨幣の量（下限量）を決めておくことにより、ＰＯＳ端末機の使用頻度に合わせた釣銭管理をすることができる。
【発明の効果】
【００１６】
本発明によれば、ＰＯＳ端末機と自動釣銭機とからなる商品販売データ処理システムにおいて、自動釣銭機の貨幣収納部にオーバーフローを生じさせず、顧客の精算処理をスムーズに行うことができる。
【発明を実施するための最良の形態】
【００１７】
以下、図面を参照しながら本発明の実施形態について詳しく説明する。
図１は、本発明の一実施形態による商品販売データ処理システムの外観図である。図１において、商品販売データ処理システムは、ＰＯＳ端末機１００と、このＰＯＳ端末機１００に接続される自動釣銭機７と、から構成される。
【００１８】
ＰＯＳ端末機１００は、レシート発行口１と、キー操作部２と、液晶タッチパネル３と、客側表示部４と、カードリーダライタ５と、ドロアー６と、を備えている。レシート発行口１は、ＰＯＳ端末機１００の正面右側に設けられており、その奥にはレシート・ジャーナル印字部（図示せず）が設けられている。このレシート発行口１からは、お客の精算結果を印字したレシート等が発行される。キー操作部２には、テンキー、現計キー、入金、支払、釣準備、売上回収等の各種締めキー、ドロアー６を開放する機能のあるキー（ドロアー開放キー）、商品登録に関する各キー等が設けられている。
【００１９】
液晶タッチパネル３は、各種表示および入力を行うためのものであり、キー操作部２の上側に設けられている。この液晶タッチパネル３の表示を見ながら店員がタッチすることにより、登録モードや設定モード等のモード切り換え、プリセットキーによる商品登録、各種ファイル設定等を行うことができる。客側表示部４は、お客に対して買い上げ金額や釣り銭の金額等を表示するものである。カードリーダライタ５は、プリペイドカードを用いた精算をするためのカード読み書き装置であり、プリペイドカードをカードリーダライタ５に挿入し、対応する会計キーを操作すると、お客の支払額分を挿入されたプリペイドカードが記憶する残額から減算して、カード支払いによる精算を可能とする。ドロアー６は、貨幣や品券、掛売伝票等を収納する金庫である。ドロアー６は、必要時に、ソレノイドをＯＮさせることによって開放され、手動によって押すことで閉じるようになっている。
【００２０】
図２は、自動釣銭機７の詳細な構成図である。自動釣銭機７は、ＣＰＵ及びメモリからなる制御部１３を有し、この制御部１３により各貨幣種の在高管理、釣銭の払出し制御などの各種制御を行う。自動釣銭機７は、ＰＯＳ端末機１００からの指示により、貨幣をそれぞれ紙幣払出部８、あるいはコイン払出口９に払い出す。また、紙幣入口１０に紙幣を、コイン投入口１１に硬貨を入れると、金種別に自動的に仕分けて貨幣収納部１４に収納する。そして、ＰＯＳ端末機１００から収納状況要求の指示があると、金種別の収納データをＰＯＳ端末機１００に送信する。自動釣銭機７はまた、貨幣収納部１４に収納されている貨幣を金種別に回収して保管する紙幣回収部１５、コイン回収部１６を備えている。また、自動釣銭機７は、金種別のランプが配置されたランプ表示部１２を備えている。自動釣銭機７は、いずれかの貨幣が不足すると判断した場合に、該当するランプを点灯させる。
【００２１】
図３は、図１に示す商品販売データ処理システムの電気構成を示すブロック図である。図３において、ＣＰＵ２１は、ＲＯＭ２２、ＲＡＭ２３とともにコンピュータを形成している。ＲＯＭ２２には予め制御プログラムが書き込まれており、このプログラムに従ってＣＰＵ２１が各部を制御する。ＲＡＭ２３は一時記憶エリアで、制御のための入力データの記憶や、各種設定ファイルの記憶場所として使用される。印字部１ａはレシート発行口の奥に配設され、レシート、ジャーナル印字を行う。操作部２、液晶タッチパネル３、客側表示部４およびカードリーダライタ５は上述の図１で説明した機能を持っている。
【００２２】
ドロアー６にはこのドロアーを開放するソレノイド６ａが配設され、ＣＰＵ２１の制御により駆動回路２４によって駆動される。シリアル通信部２５は、自動釣銭機７とＰＯＳ端末機１００との通信を制御する。
【００２３】
ＣＰＵ２１は、ＲＯＭ２２に記録された制御プログラムである商品登録機能と精算制御機能と記録機能を有している。ここで、商品登録機能は、買上げ商品の商品コードの入力により当該商品データを登録するものである。精算制御機能は、顧客からの入金額と登録商品の合計金額により精算し、この際釣銭が必要な時は自動釣銭機７へ出金指示を出すものである。また、この精算制御機能には、貨幣収納部１４に収納される各金種の貨幣の量を適切に制御する機能（詳細は後述）や、自動釣銭機７から釣銭不足のエラーを受信するとドロアー６を開放する機能も含まれる。
記録機能は、印字部１ａを用いて理論在高金額と精算操作終了後に入力した収納金額情報に基づいた、正常な入金操作が行われたか否かがわかる情報を記録するものである。
【００２４】
自動釣銭機７は、シリアル通信部２５を介してＣＰＵ２１と接続され、貨幣やコインの払出を行う。また、自動釣銭機７に紙幣やコインを入れると、金種別に自動的に仕分けて収納する。そして、ＣＰＵ２１から収納状況要求の指示を受けると、金種別の収納データをＣＰＵ２１に送信する。また、釣銭不足時にはエラーを送信する。
【００２５】
図４は、ＲＡＭ２３のメモリマップの一例を示す説明図である。メモリマップには、ワークエリア３１、キーレイアウトファイル３２、商品ファイル３３、実績ファイル３４等が含まれる。ワークエリア３１は、フラグレジスタ等を設けて計算等を行うためのエリアである。キーレイアウトファイル３２は、ハード的に決まっているキー番号に対してキー機能を割り付けるファイルである。これによりキーのレイアウトを自由に設定することができる。商品ファイル３３は、商品を指定するだけで商品データを呼び出して登録できる。
【００２６】
実績ファイル３４は、各顧客との金銭収受に対応する理論在高金額３４ａと、ＰＯＳ端末機１００のドロアー６内に収納されている収納在高金額３４ｂと、自動釣銭機７に収納されている収納在高金額３４ｃと、釣銭機制御情報３４ｄと、を記録しているもので、レポート出力により記録内容を店員が確認できる。
【００２７】
なお、自動釣銭機７に収納されている金額については、ＣＰＵ２１が自動釣銭機７に対して収納金額データを要求すると、自動釣銭機７から金種別の収納データが返信される。ＣＰＵ２１は、この収納データに基づいて自動釣銭機７の収納在高金額３４ｃを更新する。ドロアー６内に収納されている金額については、オペレータが交替時などに入力し、この入力データに基づいてＣＰＵ２１がドロアー６の収納在高金額３４ｂを更新する。そして、ＣＰＵ２１は、理論在高金額３４ａと各収納在高金額３４ｂ，３４ｃを比較することによって、実際に在高が一致しているかを判断することができる。
【００２８】
図５は、釣銭機制御情報３４ｄの一例を説明した図である。釣銭機制御情報には、１円、５円、５０円、１００円、１０００円、…といった金種毎に、上限量と、下限量と、アラート量と、限界量と、払出量と、出金先と、払出モードと、間隔と、の各データが含まれている。
限界量は、貨幣収納部１４に収納し得る最大の量であり、この値を超えて当該金種を収納することはできない。上限量と下限量は任意に設定できる値である。下限量は、釣銭の払い出しのために保持しておくべき量を設定する。お客が預かり金として当該金種を自動釣銭機７に投入した際に、上限量を超えると払出量に設定された量が貨幣収納部１４から出金先へと出金される。１０００円の金種について具体的に説明すると、限界量は２００枚であり、上限量は１６０枚、下限量は１１０枚、払出量は５０枚に設定されている。お客が預かり金として１０００円札を投入することにより収納量は増加し、釣銭として払い出されると収納量は減少する。ここで、収納量が増加して１６０枚に達すると、１０００円札が５０枚、払出口２（紙幣払出部８）へ出金される。これにより、貨幣収納部１４における１０００円札の収納量は１１０枚となる。そして再び収納量が増加して１６０枚を超えれば、５０枚の１０００円札が出金されてくる。こうして、釣銭機制御情報により、各金種の収納量が上限量を超えた場合に一定量を出金して貨幣収納部１４の収納量を減らす制御が行われるので、収納量が限界量に達してオーバーフロー（エラー）が発生することが起きにくくなっている。なお、払出口１，２へ出金された貨幣は、例えばオペレータによってドロアー６へ移し替えられる。
【００２９】
次に、図６〜図８を参照して、上述した商品販売データ処理システムの動作を説明する。図６は、ＰＯＳ端末機１００のＣＰＵ２１が行う制御処理の流れを示すフローチャートである。図７，図８は、自動釣銭機７のＣＰＵが行う制御処理の流れを示すフローチャートである。
先ず、今回の顧客処理のスタートによりＰＯＳ端末機１００は、図６のステップＳ１において商品の登録モードであるか否かを判断する。この判断の結果、登録モードでなければ、ステップＳ２で他の処理をしてステップＳ１に戻る。他の処理には、例えば他の設定やレポートモード、メンテナンスモードがある。
【００３０】
一方、登録モードの場合には、ステップＳ３で、オペレータの商品入力操作に従って買上げ商品の登録を行う。次いで、ステップＳ４では、全ての商品の登録が終了した後に、例えば小計キーが押下されると、登録商品の値段から購入合計金額を算出する。ステップＳ５では、自動釣銭機７に入金された預り金データ（金種毎の枚数）を自動釣銭機７から受信する。
【００３１】
ステップＳ６では、例えば締めキーが押下されると、預り金額と購入合計金額の差を算出して釣銭額を求める。ステップＳ７では、その釣銭額を払い出した後の貨幣収納部１４の在高を金種毎に計算して、ＲＡＭ２３のワークエリア３１の収納在高金額３４ｃに記憶する。ステップＳ８では、釣銭データを自動釣銭機７に送信する。この釣銭データは、自動釣銭機７から払い出す貨幣種とその枚数とを含む。
【００３２】
次いで、自動釣銭機７は、図７のステップＳ２１において釣銭データを受信すると、ステップＳ２２へ進む。ステップＳ２２では、ＰＯＳ端末機１００から受信した釣銭データと、自己のメモリに保持している自動釣銭機７の収納在高データとを比較し、釣銭データの釣銭額を払い出すことが可能か否かを判断する。
【００３３】
この判断の際には、先ず、釣銭データで指定された貨幣種についてその指定枚数を全て払い出し可能か否かを判断する。この判断の結果、不足している貨幣種があった場合には、当該不足貨幣種の一金種下の貨幣種にて払い出すことが可能か否かを判断する。例えば、釣銭データとして１０００円札一枚の払い出しが指定された場合に、１０００円札が不足していると、５００円硬貨二枚での払い出しが可能か否かを判断する。
【００３４】
ステップＳ２２の判断の結果、釣銭額を不足なく払い出し可能な場合に、ステップＳ２３へ進む。
一方、不足する貨幣種があり、釣銭データで指定された釣銭額を払い出すことができない場合にはステップＳ２４へ進む。例えば、上記した例では１０００円札一枚、５００円硬貨二枚のいずれも払い出すことができない場合にステップＳ２４へ進む。
【００３５】
ステップＳ２３では、釣銭データで指定された釣銭額分の貨幣を払い出し、この払い出し完了を示すＯＫ信号をＰＯＳ端末機１００へ送信する。
ステップＳ２４では、釣銭データで指定された釣銭額分の貨幣を払い出すことができないことを示すエラー信号をＰＯＳ端末機１００へ送信する。そして、不足している貨幣種に該当するランプ表示部１２のランプを点灯させて、不足している貨幣種を報知する。
【００３６】
次いで、ＰＯＳ端末機１００は、図６のステップＳ９において、自動釣銭機７からＯＫ信号を受信したか否かを判断する。
ＯＫ信号を受信した場合、ステップＳ１０へ進み、当該顧客の精算結果に基づき釣銭額を算出するとともに、理論在高金額３４ａと、ドロアー６に収納されている収納在高金額３４ｂと、自動釣銭機７に収納されている収納在高金額３４ｃとを再計算して記憶する。次いで、ステップＳ１１で当該顧客の取引明細をレシートに印刷する。次いで、ステップＳ１２へ進み、ステップＳ７でワークエリア３１に記憶した収納在高金額３４ｃと、釣銭機制御情報３４ｄとをワークエリア３１から読み出し、各金種について、釣銭機制御情報の上限量を超えているか否かを判断する。上限量を超えているものがある場合には、ステップＳ１３へ進み、液晶タッチパネル３の画面に上限量を超えている金種があることを知らせるメッセージと出金ボタンとを表示する。
【００３７】
次いで、ステップＳ１４で出金ボタンが押下されたか否かを判断し、出金ボタンが押下されると、ステップＳ１６へ進んで、上記上限量を超えている金種の釣銭機制御情報に設定されている払出量と出金先を含む制御信号を、自動釣銭機７へ送信する。
【００３８】
自動釣銭機７は、図８のステップＳ３０でこの制御信号を受信し、受信した制御信号に示される出金先をステップＳ３１で判断して、ステップＳ３２、ステップＳ３３で出金先を指定する。即ち、制御信号に示される出金先が払出口（紙幣払出部８またはコイン払出口９）の場合は、ステップＳ３２で出金先を払出口とし、制御信号に示される出金先が回収部（紙幣回収部１５またはコイン回収部１６）の場合は、ステップＳ３３で出金先を回収部とする。
【００３９】
次いで、自動釣銭機７は、ステップＳ３４で、上記制御信号により指示された貨幣種およびその払出量と、自己の収納在高量とを比較し、当該指示された貨幣種についてその指示された払出量の払い出しが可能か否かを判断する。この判断の結果、不足している貨幣種があった場合には、ステップＳ３６へ進み、不足が生じていることと、払い出し可能な枚数とを知らせるエラー信号をＰＯＳ端末機１００へ送信するとともに、現在払い出し可能な枚数を出金先へ出金する。
一方、不足している貨幣がない場合には、ステップＳ３５へ進み、制御信号で指定された貨幣種を指定された枚数だけ出金し、ＰＯＳ端末機１００へ出金完了を示すＯＫ信号を送信する。
【００４０】
次いで、ＰＯＳ端末機１００は、図６のステップＳ１７で、自動釣銭機７からＯＫ信号を受信したか否かを判断する。ＯＫ信号を受信した場合は、制御情報で指定した分の貨幣の出金が完了したので、ステップＳ１８へ進む。ステップＳ１８では、制御信号で指示した貨幣種の払出量に基づいて、理論在高金額３４ａと、ドロアー６内に収納されている収納在高金額３４ｂと自動釣銭機７に収納されている収納在高金額３４ｃとを再計算して記憶する。次いで、ステップＳ１９で、今回出金した出金明細と各貨幣種の在高明細とを印字部１ａによりレシートへ印字する。
【００４１】
一方、ステップＳ１７でＯＫ信号を受信せず、ステップＳ１５でエラー信号を受信した場合には、制御情報で指定した分の貨幣の出金ができなかったので、実際に出金した分の払い出し枚数に基づいて、ステップＳ１８の在高金額の再計算とステップＳ１９のレシートの印刷を行う。
【００４２】
次いで、ステップＳ２０において、ドロアー６をオープンして、オペレータは自動釣銭機７へ出金された貨幣をドロアー６へ移し替える。
【００４３】
一方、ステップＳ１２で上限量を超えていない場合、およびステップＳ１４で出金ボタンが押下されなかった場合は、ステップＳ１へ戻ってステップＳ１からの処理を繰り返す。
【００４４】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００４５】
例えば、貨幣収納部１４の収納量が釣銭機制御情報３４ｄのアラート枚数を超えた場合に、ＰＯＳ端末機１００の液晶タッチパネル３に貨幣収納部１４が一杯になりそうな金種を選択可能にボタン表示させ、オペレータがこの表示されたボタンを選択入力することにより、その金種を釣銭機制御情報３４ｄの払出量だけ出金させるようにしてもよい。これによれば、顧客の会計とは別に、オペレータの都合により、貨幣収納部１４が一杯になりそうな金種を出金することができる。
【００４６】
また、上記の貨幣の出金は、顧客への釣銭の出金が終わってから釣銭機制御情報３４ｄに示された間隔のデータ値だけ時間をおいてから、行うようにしてもよい。
【００４７】
また、貨幣収納部１４が一杯になりそうな金種の出金枚数は、釣銭機制御情報３４ｄに設定された下限量を超えた枚数全てを出金するようにしてもよい。これにより、理論在高額と実際の自動釣銭機７内の金額とに差があり、貨幣が不足して下限量を下回った場合でも、エラーにすることなく、出金を行うことができる。
【００４８】
また、自動釣銭機７の貨幣収納部１４が一杯になりそうな金種の払い出し方法を、釣銭機制御情報３４ｄの金種毎に自動または手動で払い出しを設定して動作させるようにしてもよい。
【００４９】
また、ドロアーの開閉は、オペレータの操作により行うようにしてもよい。
【００５０】
また、ステップＳ１１、ステップＳ１２のボタン表示をすることなく、上限量を超えた場合は自動的に出金をするようにしてもよい。この場合、貨幣の出金は、顧客への釣銭の出金が終わってから釣銭機制御情報３４ｄに示された間隔のデータ値だけ時間をおいてから、行うようにするのが望ましい。これにより、上記貨幣の出金と顧客の釣銭とが混ざることがなく、エラーを防止することができる。
【００５１】
また、自動釣銭機７の貨幣収納部１４に収納された貨幣が一杯になった場合に貨幣を回収する回収部（紙幣回収部１５、コイン回収部１６）を併用してもよい。この場合、自動釣銭機７に入金される貨幣を一旦貨幣収納部１４に収納し、釣銭機制御情報３４ｄに設定された下限量を超えた分を回収部へ回収させ、回収部に回収された貨幣が釣銭機制御情報３４ｄに設定された回収部の上限量を超えた時に収納部へ収納させ、収納部に収納された貨幣が収納部の上限量を超えた時に貨幣払出口に出金する。これにより、繁忙期の場合などに、回収部が一杯にならないように回収部から貨幣を蓄積させ、次に収納部へ収納させることにより、より多くの貨幣を収納することができ余裕を持って顧客の会計を行うことができる。
【００５２】
また、自動釣銭機の収納部が一杯になりエラーとなった場合でも、自動釣銭機のエラー解除を行った上で、顧客の釣銭を優先して出金させた後に、一杯になった自動釣銭機の収納部の貨幣を出金させ、それ以降は自動釣銭機の収納部が一杯にならないように制御するようにしてもよい。
また、上限量を超えた金種が複数ある場合はＰＯＳ端末機１００の画面に金種毎の出金ボタンを表示してもよい。
また、出金ボタンと併せて、出金量や出金先を選択するキーを画面に表示してもよい。
【図面の簡単な説明】
【００５３】
【図１】本発明の一実施形態による商品販売データ処理システムの外観図である。
【図２】自動釣銭機の詳細な構成図である。
【図３】商品販売データ処理システムの電気構成を示すブロック図である。
【図４】ＲＡＭのメモリマップの一例を示す説明図である。
【図５】釣銭機制御情報の一例を説明した図である。
【図６】ＰＯＳ端末機のＣＰＵが行う制御処理の流れを示すフローチャートである。
【図７】自動釣銭機のＣＰＵが行う制御処理の流れを示すフローチャートである。
【図８】自動釣銭機のＣＰＵが行う制御処理の流れを示すフローチャートである。
【符号の説明】
【００５４】
１…レシート発行口、２…操作部、３…液晶タッチパネル、４…客側表示部、５…カードリーダライタ、６…ドロアー、７…自動釣銭機、８…紙幣払出部、９…コイン払出口、１０…紙幣入口、１１…コイン投入口、１２…ランプ表示部、２１…ＣＰＵ、２２…ＲＯＭ、２３…ＲＡＭ、２４…駆動回路、２５…シリアル通信部、１００…ＰＯＳ端末機、１ａ…印字部、６ａ…ソレノイド
【図１】
2008293250.tif 000003
【図２】
2008293250.tif 000004
【図３】
2008293250.tif 000005
【図４】
2008293250.tif 000006
【図５】
2008293250.tif 000007
【図６】
2008293250.tif 000008
【図７】
2008293250.tif 000009
【図８】
2008293250.tif 000010